【手続補正書】
【提出日】平成17年6月10日(2005.6.10)
【手続補正１】
【補正対象書類名】明細書
【補正対象項目名】特許請求の範囲
【補正方法】変更
【補正の内容】
【特許請求の範囲】
【請求項１】
被写体を画像データとして符号化処理する撮像手段を備える撮像装置であって、
他機器に接続するためのカード状の接続手段と、前記他機器が接続された状態で該他機器からの立上げ処理要求信号を受信する受信手段と、前記立上げ処理要求信号により立上げ処理を行う信号処理手段とを有し、
前記接続手段は前記他機器からの信号受信のための信号線を含むことを特徴とする撮像装置。
【請求項２】
被写体を画像データとして符号化処理する撮像手段を備える撮像装置であって、
他機器に接続するためのカード状の接続手段と、前記他機器が接続された状態で該他機器からの立上げ処理要求信号を受信する受信手段と、前記立上げ処理要求信号と前記他機器からの電源供給に応じて立上げ処理を行う信号処理手段とを有し、
前記接続手段は前記他機器からの信号受信のための信号線と電源供給線を含むことを特徴とする撮像装置。
【請求項３】
前記立上げ処理は、通常時に比して少ないアドレス信号線数を用いて実行されることを特徴とする請求項１又は２に記載の撮像装置。
【請求項４】
前記接続手段は複数の前記信号線を含み、前記立上げ処理要求信号のための信号線が少なくとも１つの信号線と共用されていることを特徴とする請求項１又は２に記載の撮像装置。
【請求項５】
前記接続手段はPCカードインターフェースコネクタであることを特徴とする請求項１又は２に記載の撮像装置。
【請求項６】
前記PCカードインターフェースコネクタの少なくとも１つの端子が、I/Oカードのウェイクアップ信号の出力端子となっていることを特徴とする請求項５に記載の撮像装置。
【請求項７】
前記接続手段はコンパクトフラッシュカードインターフェースコネクタであることを特徴とする請求項１又は２に記載の撮像装置。
【請求項８】
前記コンパクトフラッシュカードインターフェースコネクタの少なくとも１つの端子が、I/Oカードのウェイクアップ信号の出力端子となっていることを特徴とする請求項７に記載の撮像装置。
【請求項９】
前記他機器は、コンピュータ機器、通信装置、プリンタ装置又は画像表示装置のいずれかであることを特徴とする請求項１又は２に記載の撮像装置。
【請求項１０】
被写体を画像データとして符号化処理する撮像装置を接続するための接続カードが着脱可能な接続手段と、前記撮像装置が接続された状態で該撮像装置に立上げ処理要求信号を送信する送信手段とを有し、
前記接続手段は前記撮像装置への信号送信のための信号線を含むことを特徴とする情報処理装置。
【請求項１１】
被写体を画像データとして符号化処理する撮像装置を接続するための接続カードが着脱可能な接続手段と、前記撮像装置が接続された状態で該撮像装置に立上げ処理要求信号を送信する送信手段と、前記撮像装置に電源を供給する電源供給手段とを有し、
前記接続手段は前記撮像装置への信号送信のための信号線と電源供給線とを含むことを特徴とする情報処理装置。
【請求項１２】
前記撮像装置は前記立上げ処理要求信号に応じて立上げ処理を行ない、前記立上げ処理は、通常時に比して少ないアドレス信号線数を用いて実行されることを特徴とする請求項１０又は１１に記載の情報処理装置。
【請求項１３】
前記接続手段は複数の前記信号線を含み、前記立上げ処理要求信号のための信号線が少なくとも１つの信号線と共用されていることを特徴とする請求項１０又は１１に記載の情報処理装置。
【請求項１４】
前記接続手段はPCカードインターフェースコネクタであることを特徴とする請求項１０又は１１に記載の情報処理装置。
【請求項１５】
前記PCカードインターフェースコネクタの少なくとも１つの端子が、I/Oカードのウェイクアップ信号の出力端子となっていることを特徴とする請求項１４に記載の情報処理装置。
【請求項１６】
前記接続手段はコンパクトフラッシュカードインターフェースコネクタであることを特徴とする請求項１０又は１１に記載の情報処理装置。
【請求項１７】
前記コンパクトフラッシュカードインターフェースコネクタの少なくとも１つの端子が、I/Oカードのウェイクアップ信号の出力端子となっていることを特徴とする請求項１６に記載の情報処理装置。
【請求項１８】
前記情報処理装置は、コンピュータ機器、通信装置、プリンタ装置又は画像表示装置のいずれかであることを特徴とする請求項１０又は１１に記載の情報処理装置。
【請求項１９】
被写体を画像データとして符号化処理する撮像手段と、他機器に接続するためのカード状の第１接続手段と、前記他機器が接続された状態で該他機器からの立上げ処理要求信号を受信する受信手段と、前記立上げ処理要求信号により立上げ処理を行う信号処理手段とを有する撮像装置と、
前記第１接続手段が着脱可能な第２接続手段と、前記撮像装置が接続された状態で前記撮像装置に立上げ処理要求信号を送信する送信手段とを有する前記他機器としての情報処理装置とから構成され、
前記第１接続手段は前記情報処理装置からの信号受信のための信号線を含み、前記第２接続手段は前記撮像装置への信号送信のための信号線を含むことを特徴とする撮像システム。
【請求項２０】
被写体を画像データとして符号化処理する撮像手段と、他機器に接続するためのカード状の第１接続手段と、前記他機器が接続された状態で該他機器からの立上げ処理要求信号を受信する受信手段と、前記立上げ処理要求信号と前記他機器からの電源供給に応じて立上げ処理を行う信号処理手段とを有する撮像装置と、
前記第１接続手段が着脱可能な第２接続手段と、前記撮像装置が接続された状態で該撮像装置に立上げ処理要求信号を送信する送信手段と、前記撮像装置に電源を供給する電源供給手段とを有する前記他装置としての情報処理装置とから構成され、
前記第１接続手段は前記他機器からの信号受信のための信号線と電源供給線を含み、前記第２接続手段は前記撮像装置への信号送信のための信号線と電源供給線とを含むことを特徴とする撮像システム。
【請求項２１】
前記撮像装置は前記立上げ処理要求信号に応じて立上げ処理を行ない、前記立上げ処理は、通常時に比して少ないアドレス信号線数を用いて実行されることを特徴とする請求項１９又は２０に記載の撮像システム。
【請求項２２】
前記第１及び第２接続手段は複数の前記信号線を含み、前記立上げ処理要求信号のための信号線が少なくとも１つの信号線と共用されていることを特徴とする請求項１９又は２０に記載の撮像システム。
【請求項２３】
前記第１及び第２接続手段はPCカードインターフェースコネクタであることを特徴とする請求項１９又は２０に記載の撮像システム。
【請求項２４】
前記PCカードインターフェースコネクタの少なくとも１つの端子が、前記撮像装置のウェイクアップ信号の出力端子となっていることを特徴とする請求項２３に記載の撮像システム。
【請求項２５】
前記第１及び第２接続手段はコンパクトフラッシュカードインターフェースコネクタであることを特徴とする請求項１９又は２０に記載の撮像システム。
【請求項２６】
前記コンパクトフラッシュカードインターフェースコネクタの少なくとも１つの端子が、前記撮像装置のウェイクアップ信号の出力端子となっていることを特徴とする請求項２５に記載の撮像システム。
【請求項２７】
前記情報処理装置は、コンピュータ機器、通信装置、プリンタ装置又は画像表示装置のいずれかであることを特徴とする請求項１９又は２０に記載の撮像システム。
【請求項２８】
被写体を画像データとして符号化処理する撮像手段を有し、カード状の接続手段を介して他機器が接続された撮像装置において、
前記他機器から出力される立上げ指示信号を受信し、前記立上げ指示信号に応じて立上げ処理を行うことを特徴とする撮像装置の制御方法。
【請求項２９】
被写体を画像データとして符号化処理する撮像手段を有し、カード状の接続手段を介して他機器が接続された撮像装置において、
前記他機器から出力される立上げ指示信号を受信し、前記立上げ指示信号と前記他機器からの電源供給に応じて立上げ処理を行うことを特徴とする撮像装置の制御方法。
【請求項３０】
前記立上げ処理は、通常時に比して少ないアドレス信号線数を用いて実行されることを特徴とする請求項２８又は２９に記載の撮像装置の制御方法。
【請求項３１】
前記接続手段は複数の前記信号線を含み、前記立上げ処理要求信号のための信号線が少なくとも１つの信号線と共用されていることを特徴とする請求項２８又は２９に記載の撮像装置の制御方法。
【請求項３２】
前記接続手段はPCカードインターフェースコネクタであることを特徴とする請求項２８又は２９に記載の撮像装置の制御方法。
【請求項３３】
前記PCカードインターフェースコネクタの少なくとも１つの端子が、前記撮像装置のウェイクアップ信号の出力端子となっていることを特徴とする請求項３２に記載の撮像装置の制御方法。
【請求項３４】
前記接続手段はコンパクトフラッシュカードインターフェースコネクタであることを特徴とする請求項２８又は２９に記載の撮像装置の制御方法。
【請求項３５】
前記コンパクトフラッシュカードインターフェースコネクタの少なくとも１つの端子が、前記撮像装置のウェイクアップ信号の出力端子となっていることを特徴とする請求項３４に記載の撮像装置の制御方法。
【請求項３６】
前記他機器は、コンピュータ機器、通信装置、プリンタ装置又は画像表示装置のいずれかであることを特徴とする請求項２８又は２９に記載の撮像装置の制御方法。
【請求項３７】
カード状に形成されたアダプタであって、
他機器を接続するための第１接続手段と、被写体を画像データとして符号化処理する撮像装置を接続するための第２接続手段とを備え、
前記第２接続手段は、前記他機器と前記撮像装置とが接続された状態で、前記他装置から前記撮像装置に立上げ処理要求信号を送信するための信号線を含むことを特徴とするアダプタ。
【請求項３８】
カード状に形成されたアダプタであって、
他機器を接続するための第１接続手段と、被写体を画像データとして符号化処理する撮像装置を接続するための第２接続手段と、前記撮像装置に電源を供給する電源供給手段とを備え、
前記第２接続手段は、前記他機器と前記撮像装置とが接続された状態で、前記他装置から前記撮像装置に立上げ処理要求信号を送信するための信号線と、前記撮像装置に電源を供給するための電源供給線を含むことを特徴とするアダプタ。
【請求項３９】
前記撮像装置は前記立上げ処理要求信号に応じて立上げ処理を行ない、前記立上げ処理は、通常時に比して少ないアドレス信号線数を用いて実行されることを特徴とする請求項３７又は３８に記載のアダプタ。
【請求項４０】
前記第１及び第２接続手段は複数の前記信号線を含み、前記立上げ処理要求信号のための信号線が少なくとも１つの信号線と共用されていることを特徴とする請求項３７又は３８に記載のアダプタ。
【請求項４１】
前記第１接続手段がPCカードインターフェースコネクタであり、前記第２接続手段がコンパクトフラッシュカードインターフェースコネクタであることを特徴とする請求項３７及び請求項３８に記載のアダプタ。
【請求項４２】
前記コンパクトフラッシュカードインターフェースコネクタの少なくとも１つの端子が、前記撮像装置のウェイクアップ信号の出力端子となっていることを特徴とする請求項４１に記載のアダプタ。
【請求項４３】
前記他機器は、コンピュータ機器、通信装置、プリンタ装置又は画像表示装置のいずれかであることを特徴とする請求項３７又は３８に記載のアダプタ。
【請求項４４】
カード状のアダプタを接続するためのカードスロット状の第１接続手段を有する情報処理装置と、
前記アダプタであって、前記情報処理装置に接続するためのカード状の第２接続手段と、撮像装置に接続するためのカードスロット状の第３接続手段と、前記情報処理装置及び前記撮像装置とが接続された状態で、前記撮像装置に立上げ処理要求信号を送信するための送信手段とを有するアダプタと、
前記撮像装置であって、前記アダプタに接続するためのカード状の第４接続手段と、前記アダプタが接続された状態で、該アダプタから送信される立上げ処理要求信号を受信する受信手段と、前記立上げ信号処理要求信号に応じて立上げ処理を行う信号処理手段と、被写体を画像データとして符号化処理する撮像手段とを有する撮像装置とから構成され、
前記第３接続手段及び第４接続手段は、前記情報処理装置からの信号受信のための信号線と、前記撮像装置への信号送信のための信号線を含むことを特徴とする撮像システム。
【請求項４５】
カード状のアダプタを接続するためのカードスロット状の第１接続手段と、撮像装置に電源を供給するための第１電源供給手段とを有する情報処理装置と、
前記アダプタであって、前記情報処理装置に接続するためのカード状の第２接続手段と、前記撮像装置に接続するためのカードスロット状の第３接続手段と、前記情報処理装置及び前記撮像装置とが接続された状態で、前記撮像装置に立上げ処理要求信号を送信するための送信手段と、前記第１電源供給手段からの電源供給に応じて、前記撮像装置に対して前記立上げ処理要求信号を送信すると共に、該撮像装置に電源を供給する第２電源供給手段とを有するアダプタと、
前記撮像装置であって、前記アダプタを接続するためのカード状の第４接続手段と、前記アダプタが接続された状態で、該アダプタから送信される立上げ処理要求信号を受信する受信手段と、前記立上げ信号処理要求信号及び前記第２電源供給手段からの電源供給に応じて立上げ処理を行う信号処理手段と、被写体を画像データとして符号化処理する撮像手段とを有する撮像装置とから構成され、
前記第３接続手段及び第４接続手段は、前記撮像装置への信号送信のための信号線と、電源供給線とを含むことを特徴とする撮像システム。
【請求項４６】
前記立上げ処理は、通常時に比して少ないアドレス信号線数を用いて実行されることを特徴とする請求項４４又は４５に記載の撮像システム。
【請求項４７】
前記第３及び第４接続手段は複数の前記信号線を含み、前記立上げ処理要求信号のための信号線が少なくとも１つの信号線と共用されていることを特徴とする請求項４４又は４５に記載の撮像システム。
【請求項４８】
前記第１及び第２接続手段がPCカードインターフェースコネクタであり、前記第３及び第４接続手段がコンパクトフラッシュカードインターフェースコネクタであることを特徴とする請求項４４及び請求項４５に記載の撮像システム。
【請求項４９】
前記コンパクトフラッシュカードインターフェースコネクタの少なくとも１つの端子が、前記撮像装置のウェイクアップ信号の出力端子となっていることを特徴とする請求項４８に記載の撮像システム。
【請求項５０】
前記情報処理装置は、コンピュータ機器、通信装置、プリンタ装置又は画像表示装置のいずれかであることを特徴とする請求項４４又は４５に記載の撮像システム。
【請求項５１】
被写体を画像データとして符号化処理する撮像手段を有し、カード状の接続手段にアダプタを介して他機器が接続された撮像装置において、
前記他機器から前記アダプタを介して出力される立上げ指示信号を受信し、前記立上げ指示信号に応じて立上げ処理を行うことを特徴とする撮像装置の制御方法。
【請求項５２】
被写体を画像データとして符号化処理する撮像手段を有し、カード状の接続手段にアダプタを介して他機器が接続された撮像装置において、
前記他機器から前記アダプタを介して出力される立上げ指示信号を受信し、前記立上げ指示信号と前記他機器からの電源供給とに応じて立上げ処理を行うことを特徴とする撮像装置の制御方法。
【請求項５３】
前記立上げ処理は、通常時に比して少ないアドレス信号線数を用いて実行されることを特徴とする請求項５１又は５２に記載の撮像装置の制御方法。
【請求項５４】
前記接続手段は複数の前記信号線を含み、前記立上げ処理要求信号のための信号線が少なくとも１つの信号線と共用されていることを特徴とする請求項５１又は５２に記載の撮像装置の制御方法。
【請求項５５】
前記接続手段はPCカードインターフェースコネクタであることを特徴とする請求項５１又は５２に記載の撮像装置の制御方法。
【請求項５６】
前記PCカードインターフェースコネクタの少なくとも１つの端子が、前記撮像装置のウェイクアップ信号の出力端子となっていることを特徴とする請求項５５に記載の撮像装置の制御方法。
【請求項５７】
前記接続手段はコンパクトフラッシュカードインターフェースコネクタであることを特徴とする請求項５１又は５２に記載の撮像装置の制御方法。
【請求項５８】
前記コンパクトフラッシュカードインターフェースコネクタの少なくとも１つの端子が、前記撮像装置のウェイクアップ信号の出力端子となっていることを特徴とする請求項５７に記載の撮像装置の制御方法。
【請求項５９】
前記他機器は、コンピュータ機器、通信装置、プリンタ装置又は画像表示装置のいずれかであることを特徴とする請求項５１又は５２に記載の撮像装置の制御方法。
【請求項６０】
被写体を画像データとして符号化処理する撮像手段を有し、カード状の接続手段を介して他機器が接続された撮像装置を制御するためのプログラムコードが格納されたコンピュータ読み取り可能な記憶媒体において、
前記他機器から出力される立上げ指示信号を受信し、前記立上げ指示信号に応じて立上げ処理を行うプログラムコードを有することを特徴とする記憶媒体。
【請求項６１】
被写体を画像データとして符号化処理する撮像手段を有し、カード状の接続手段を介して他機器が接続された撮像装置を制御するためのプログラムコードが格納されたコンピュータ読み取り可能な記憶媒体において、
前記他機器から出力される立上げ指示信号を受信し、前記立上げ指示信号と前記他機器からの電源供給に応じて立上げ処理を行うプログラムコードを有することを特徴とする記憶媒体。
【請求項６２】
被写体を画像データとして符号化処理する撮像手段を有し、カード状の接続手段にアダプタを介して他機器が接続された撮像装置を制御するためのプログラムコードが格納されたコンピュータ読み取り可能な記憶媒体において、
前記他機器から前記アダプタを介して出力される立上げ指示信号を受信し、前記立上げ指示信号に応じて立上げ処理を行うプログラムコードを有することを特徴とする記憶媒体。
【請求項６３】
被写体を画像データとして符号化処理する撮像手段を有し、カード状の接続手段にアダプタを介して他機器が接続された撮像装置を制御するためのプログラムコードが格納されたコンピュータ読み取り可能な記憶媒体において、
前記他機器から前記アダプタを介して出力される立上げ指示信号を受信し、前記立上げ指示信号と前記他機器からの電源供給とに応じて立上げ処理を行うプログラムコードを有することを特徴とする記憶媒体。
【請求項６４】
前記他機器は、コンピュータ機器、通信装置、プリンタ装置又は画像表示装置のいずれかであることを特徴とする請求項６０乃至６３のいずれか１項に記載の記憶媒体。